(57)【特許請求の範囲】
【請求項１】
印刷の発注を行うクライアント若しくは広告代理店いずれかのクライアント側からの原稿や写真で企画・デザイン部門で印刷用版下データを作成し、該印刷用版下データを用いて色校正しながら編集、校正を行なった後、製版・刷版部門で前記印刷用の刷版を作成、該刷版に基づいて印刷部門で印刷するようにした印刷における色校正方法であって、
前記印刷部門側に印刷機と、該印刷機による印刷物の濃度と網点面積率と印刷紙面の発色を測定する色調管理装置と、プロファイルデータベースとを具えるとともに、企画・デザイン部門側とクライアント側とにそれぞれ具えた色校正出力機よりの情報を取得可能なネットワークを構築し、
前記印刷部門側で、前記原稿や写真に基づく版下データに基づいて前記企画・デザイン部門側で製作された刷版を使用して前記印刷機により印刷されたプロファイル作成用チャートを含む印刷物を該印刷機の印刷ジョブ毎に印刷物のプロファイル作成用チャートを前記色調管理装置で測定し、使用した印刷紙、インキなどで定まるプロファイルなどの発色特性データを前記プロファイルデータベースに蓄積し、
該データベースに蓄積された発色特性データを企画・デザイン部門で読み出し、該データに基づき色校正出力機から色校正出力して作成した版下データに基づいて色校正出力を繰り返して行い、良ければ該版下データをネットワークを経由してクライアント側に送信して、
該クライアント側の色校正出力機で色校正出力するよう促すと共に、該色校正出力の合否の判断をクライアント側に促した後、前記製版・刷版部門で対応印刷ジョブの刷版を作成してクライアントの希望する色の印刷物用データを作成することができることを特徴とする印刷における色校正方法。
【発明の詳細な説明】
【０００１】
【発明の属する技術分野】
本発明は、印刷における色校正方法に関するものである。
【０００２】
【従来の技術】
従来の印刷工程は、図２に示すようにまずクライアント、または広告代理店３０から人手やバイク便、車などを使って３１で原稿や写真を企画・デザイン会社３２に入稿し、この企画・デザイン会社３２において写真スキャナによる取り込みや文字データの入力等の編集３３を行い版下３６を作成する。そして完成した版下３６を、再び人手やバイク便、車などを使ってクライアント、または広告代理店３０に送り、版下の校正３４を依頼する。その直しの指示３５でまた人手やバイク便、車などを使って送られてくるから、企画・デザイン会社３２で直しを行ってまたクライアント、または広告代理店３０に校正依頼する、ということをＯＫが出るまで繰り返す。
【０００３】
こうして版下に対するＯＫが出たら今度はその版下を、再度３６で人手やバイク便、車などを使って製版・刷版会社３７に送り、製版・刷版会社３７（部門）は、まず３８で色分解と網掛けを行って各色毎の製版フィルムを出力し、平台校正機などの色校正出力機３９で色校正出力する。そしてこの色校正出力を、４０、４１で再び人手やバイク便、車などを用いて企画・デザイン会社３２、及びクライアント、または広告代理店３０に送り、色調のチェックを受ける。そして、直しが出た場合はそれが４２、４３で戻ってくるので、再度フィルムを出力し直すなどして同様に、ＯＫが出るまで繰り返す。
【０００４】
こうして色校正もＯＫが出たら今度は４４で刷版を作成し、作成した刷版を４５で、ＯＫをもらった色校正を４６でまた人手や車などで印刷製本会社４７（部門）に送り、色校正見本を元に印刷機４８で印刷を行い、４９で製本して印刷物５０としてクライアントに納品する。
【０００５】
【発明が解決しようとする課題】
しかしながら従来のこの印刷工程は、以上の説明からもわかるとおり、入稿、校正依頼、直しなどの度に、人手やバイク便、車などを用いて原稿や写真、版下や色校正などがクライアント、または広告代理店３０、企画・デザイン会社３２、製版・刷版会社３７を往復しており、時間及び多大な費用がかかっていた。
【０００６】
またクライアントは、印刷の色を実際の印刷物ではなく、製版・刷版会社３７（部門）の平台校正機などの色校正出力機３９による色校正出力でしか確認ができず、刷り上がった印刷物の色が希望の色と異なる等のトラブルが発生することがあった。
【０００７】
上述の事情に鑑み本発明は、人手やバイク便、車などによる校正依頼、直しなどの往復を不要とし、かつクライアントは、実際の印刷色に近い校正刷りで色の確認ができる、印刷における色校正方法を提供し、時間とコストの低減と印刷色がクライアントの希望と異なる等のトラブルの発生を抑えることを課題とする。
【０００８】
【課題を解決するための手段】
上記課題を解決するため本発明においては、印刷・製本会社の保有する印刷機による印刷のジョブ毎に印刷物の濃度と網点面積率と印刷紙面の発色を色調測定装置で測定し、印刷機が使用する印刷紙、インキ、印刷機自体の特性などで定まるプロファイルと呼ばれる発色特性データを作成してデータベースに蓄積すると共にインターネット等の広域通信ネットワーク経由で発信する。そしてクライアントや広告代理店、及び企画・デザイン会社などに、ＤＤＣＰ（Ｄｉｒｅｃｔ  Ｄｉｇｉｔａｌ  Ｃｏｌｏｒ  Ｐｒｏｏｆ）による色校正出力機を設置し、前記インターネット等の広域通信ネットワーク経由で送られてくる印刷機の発色特性データを読み出し、この発色特性データで色変換ソフトのパラメータを調節して印刷用データの色調補正し、色校正出力機で印刷・製本会社の保有する印刷機と同様の発色の色校正出力が得られるようにする。そして企画・デザイン会社は、作成した印刷用データを色変換してこの色校正出力機に入力し、得られた出力で色調などを確認する。一方クライアントや広告代理店には、この印刷用データをインターネット等の広域通信ネットワーク経由で送り、クライアントや広告代理店に設置された色校正出力機で色校正出力を出力してクライアントに編集や色調の校正を行ってもらうようにした。
尚、これら企画・デザイン会社、製版・刷版会社、印刷・製本会社４は、印刷会社の１部門であっても良いために、企画・デザイン会社を企画・デザイン部門、製版・刷版会社を製版・刷版部門、印刷・製本会社を印刷・製本部門と以下に表示する。
【０００９】
これにより、まず前記したような校正依頼、直しなどの度に版下や色校正などを、クライアント、または広告代理店、企画・デザイン会社（部門）、製版・刷版会社（部門）などに人手やバイク便、車などを用いて往復する必要が無くなり、時間と経費の大幅な削減が可能となる。
【００１０】
また色変換ソフトは、印刷・製本会社（部門）の印刷機における発色特性データをインターネット経由で受け取ってパラメータを調節することにより、色校正出力機から実際に印刷する印刷機と同じ発色で色校正出力を出力できるから、クライアントは実際の印刷色に近い校正刷りを見ることができ、刷りあがった印刷物の色が希望の色と異なるなどのトラブルの発生を未然に防ぐことができる。
【００１１】
そのため本発明においては、請求項１に記載したように、印刷の発注を行うクライアント若しくは広告代理店いずれかのクライアント側からの原稿や写真で企画・デザイン部門で印刷用版下データを作成し、該印刷用版下データを用いて色校正しながら編集、校正を行なった後、製版・刷版部門で前記印刷用の刷版を作成、該刷版に基づいて印刷部門で印刷するようにした印刷における色校正方法であって、
前記印刷部門側に印刷機と、該印刷機による印刷物の濃度と網点面積率と印刷紙面の発色を測定する色調管理装置と、プロファイルデータベースとを具えるとともに、企画・デザイン部門側とクライアント側とにそれぞれ具えた色校正出力機よりの情報を取得可能なネットワークを構築し、
前記印刷部門側で、前記原稿や写真に基づく版下データに基づいて前記企画・デザイン部門側で製作された刷版を使用して前記印刷機により印刷されたプロファイル作成用チャートを含む印刷物を該印刷機の印刷ジョブ毎に印刷物のプロファイル作成用チャートを前記色調管理装置で測定し、使用した印刷紙、インキなどで定まるプロファイルなどの発色特性データを前記プロファイルデータベースに蓄積し、
該データベースに蓄積された発色特性データを企画・デザイン部門で読み出し、該データに基づき色校正出力機から色校正出力して作成した版下データに基づいて色校正出力を繰り返して行い、良ければ該版下データをネットワークを経由してクライアント側に送信して、
該クライアント側の色校正出力機で色校正出力するよう促すと共に、該色校正出力の合否の判断をクライアント側に促した後、前記製版・刷版部門で対応印刷ジョブの刷版を作成してクライアントの希望する色の印刷物用データを作成することができることを特徴とする。
【００１２】
このような方法で色校正を行うことにより、従来のような平台校正機などの色校正出力機による色校正出力とは異なり、実際に使用する印刷機の発色特性データに基づく色校正出力がクライアント側色校正出力機から得られ、かつ、印刷もこの発色特性データで行われるから、クライアントは実際の印刷と同じ発色特性の色校正出力を見ることができ、クライアントの希望と異なる色で印刷が行われるというトラブルが回避できる。
【００１３】
特に本発明は、前記発色特性データと印刷用データは、インターネットなどの広域通信ネットワークでクライアント側に送るものである。
【００１４】
このようにすることで、従来のように人手やバイク便、車などで版下や版下データを運ぶ必要が無く、時間及び経費の節約が可能となる。
【００１５】
そして企画・デザイン部門である印刷用データ作成部門は、前記色校正出力機を印刷用データ作成部門に設置すると共に前記発色特性データで印刷用データを色調補正しながら色変換して色校正出力機で色校正出力し、該色校正出力で印刷用データの修正を行いながら編集、校正を行うことを特徴とする。
【００１６】
このようにすることで、クライアント側だけでなく印刷用データ作成部門も実際に使用する印刷機の発色特性データに基づく色校正出力を色校正出力機から得られるから、クライアントの望む色を印刷用データ作成時点において作成することができ、製版後に色校正出力を見せられる場合に比し、短時間でクライアントの希望する色の印刷物用データを作成することができる。
【００１７】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１８】
図１は、本発明の実施の形態を示した印刷における色校正システムの概略ブロック図である。同図において、１は印刷を発注するクライアント、または広告代理店、２は企画・デザイン会社、３は製版・刷版会社、４は印刷・製本会社で、これら企画・デザイン会社２、製版・刷版会社３、印刷・製本会社４は、印刷会社（部門）の１部門であっても良い。従って（  ）で会社（部門）と表示する。５は印刷を発注するクライアント、または広告代理店１に設けられたビューワで、版下データや製版データなどの印刷用データを入力して組み版された状態を表示する。６は印刷する印刷機の発色特性データを元に、印刷用データを印刷機で印刷されると同様の発色状態になるよう色変換する色変換ソフト、７は版下データや製版データなどの印刷用デジタルデータから、印刷と同様な校正用出力ができるＤＤＣＰ（Ｄｉｒｅｃｔ  Ｄｉｇｉｔａｌ  Ｃｏｌｏｒ  Ｐｒｏｏｆ）で構成された色校正出力機、８は色校正出力である。
【００１９】
企画・デザイン会社（部門）２における９は、入稿された原稿・写真を元に写真をスキャナなどで読みとると共に文字データなどを入力して編集し、レイアウトや組み処理を行う編集システムで、これはクライアント、または広告代理店１におけるビューワ５のソフトを含む、１０は色変換ソフト、１１はＤＤＣＰで構成された色校正出力機、１２は色校正出力で、これら１０、１１、１２は、クライアント、または広告代理店１における色変換ソフト６、ＤＤＣＰで構成された色校正出力機７、色校正出力８と同じものである。製版・刷版会社（部門）３における１３は版下データ２０から刷版を作る製版システムで、従来のように版下データから各色のフィルムを出力して刷版を作成するか、ＣＴＰ（Ｃｏｍｐｕｔｅｒ  Ｔｏ  Ｐｌａｔｅ）などのデジタルデータから直接刷版を出力する機器を用いて刷版を作成する。
【００２０】
印刷・製本会社（部門）４における１４は印刷機、１５は色調管理装置で、これは印刷機が印刷しているときにインキの供給量などの変化で色調が変化するのを防ぐため、印刷物に印刷したカラーチャートやプロファイル作成用チャートを計測して濃度と色調をチェックし、印刷機にフィードバックして印刷機の色調を管理する装置である。プロファイルとは、編集機や印刷機、色校正出力機など、異なるデバイス間の色再現性を一致させるために網点面積率と色との対応を記述した発色特性データであり、印刷物に印刷したカラーチャートやプロファイル作成用チャートを測定し、国際照明委員会で定義された色座標値（ＣＩＥ−Ｌ＊ａ＊ｂ＊）などを算出してＣ、Ｍ、Ｙ、Ｋデータに対する印刷紙面の発色との関係を求めて作成する。なお、このプロファイルは、印刷機自体の印刷特性、印刷に使用する印刷紙、印刷インキなどにも関係してくるので、印刷機のプロファイルは、これら印刷機、印刷紙、印刷インキと関連して作成される。１６はこのプロファイルなどの発色特性データを記憶するデータベースで、色調管理装置１５で１つのジョブ毎にプロファイルを測定して記憶してあり、１７は製本機である。
【００２１】
１８はインターネットやＷＡＮ（広域通信情報網）、イントラネットなどの広域通信ネットワーク、１９はクライアント、または広告代理店１などからの原稿・写真などの入稿で、これは前記従来と同様人手やバイク便、車などが用いられる。２０は版下データの製版・刷版会社（部門）への搬入であるが、これは従来のように人手やバイク便、車などを用いても、インターネット等の広域通信ネットワーク１８経由で送ってもどちらでも良い。２１は刷版の搬入、２２はインターネットやＷＡＮ（広域通信情報網）、イントラネットなどの広域通信ネットワーク１８を経由して送られる版下データ、２３はプロファイルデータベース１６から同じく広域通信ネットワーク１８を経由して送られるプロファイル（発色特性）データ、２４は完成した印刷物、２５は色校正出力の直し依頼で、メールなどを用いる。なお前記版下用データ２２やプロファイル（発色特性）データ２３はデジタルデータであるため、広域通信ネットワーク１８を用いる場合はメールの添付ファイルで送ったり、ホームページからデータとを取得できるようにする。またＷＡＮ（広域通信情報網）、イントラネットなどの場合は、そのままデータとして送出する。
【００２２】
本発明においては、まずクライアントや広告代理店１、及び企画・デザイン会社（部門）２などにＤＤＣＰ（Ｄｉｒｅｃｔ  Ｄｉｇｉｔａｌ  Ｃｏｌｏｒ  Ｐｒｏｏｆ）で構成された色校正出力機７、１１を設置する。一方印刷・製本会社（部門）４は、印刷・製本会社（部門）４の保有する印刷機１４の印刷ジョブ毎に印刷物を色調管理装置１５で測定し、使用した印刷紙、インキなどで定まるプロファイルなどの発色特性データをプロファイルデータベース１６に蓄積する。そしてそのプロファイルデータ１６を、インターネット等の広域通信ネットワーク１８経由でクライアント、または広告代理店１、及び企画・デザイン会社（部門）２などに送り、これらに設置されたＤＤＣＰで構成された色校正出力機７、１１が、印刷・製本会社（部門）の印刷機１４の発色と同じ発色をするよう色変換ソフト６、１０のパラメータを調節できるようにする。
【００２３】
今、クライアントから印刷の発注があった場合、クライアント、または広告代理店１から企画・デザイン会社（部門）２への原稿・写真の入稿１９は、従来と同様人手、バイク便、車などを使って行われる。そしてこの企画・デザイン会社（部門）２で、写真はスキャナで取り込み、文字データなどは入力して編集システム９でレイアウト、組み版し、版下データを作成してポストスクリプト（Ｐｏｓｔ  Ｓｃｒｉｐｔ）データやＰＤＦ（Ｐｏｔａｂｌｅ  Ｄｏｃｕｍｅｎｔ  Ｆｏｒｍａｔ）データとして出力する。なお、Ｐｏｓｔ  ＳｃｒｉｐｔとＰＤＦは、Ａｄｏｂｅ社の商標である。
【００２４】
一方この企画・デザイン会社（部門）２では、インターネット等の広域通信ネットワーク１８を経由して印刷・製本会社（部門）４から送られてくる印刷機１４のプロファイルデータ２３を読み出し、色変換ソフト１０に与え、企画・デザイン会社（部門）２に設置された色校正出力機１１が印刷に使う印刷機の発色で出力できるようこの色変換ソフト１０のパラメータを調節する。そして、作成した版下データを色変換ソフト１０で色変換した後色校正出力機１１に入力し、色校正出力１２を出力して作成した版下データがクライアントの意図した色かどうかや組み版状態を確認し、意図した色や組み版状態でなければ直しと色校正出力を繰り返し、良ければ版下データ２２としてインターネット等の広域通信ネットワーク１８経由でクライアント、または広告代理店１に送出する。
【００２５】
一方クライアント、または広告代理店１は、企画・デザイン会社（部門）２と同様に、インターネット等の広域通信ネットワーク１８を経由して印刷・製本会社（部門）４から送られてくる印刷機１４のプロファイルデータ２３を読み出して色変換ソフト６に与え、色校正出力機７が印刷・製本会社（部門）４の印刷機１４と同じ発色となるよう色変換のパラメータを調節する。そして企画・デザイン会社（部門）２から送られてくる版下データ２２を、まずビューワ５で表示して意図したレイアウトになっているか確認し、さらに色変換ソフト６で印刷に使う印刷機１４の発色となるよう色変換して色校正出力機７で色校正出力８する。
【００２６】
こうして得られた色校正出力８は、前記したように版下データ２２を色変換するソフト６のパラメータが、色校正出力機１１でこの版下データ２２を出力したとき印刷に使う印刷機１４の発色となるよう設定されているから、印刷色に近い発色で出力される。そのためクライアントは、版下の段階でレイアウトの確認と同時に印刷色の確認ができ、それに従ってレイアウトや色についての直しを指定できるから、直しがある場合はそれを色校正の直しデータ２５としてメールでインターネット等の広域通信ネットワーク１８へ送り出すか、ＦＡＸなどで企画・デザイン会社（部門）２に送る。
【００２７】
そして企画・デザイン会社（部門）２は、これらメール等の直しデータ２５、またはＦＡＸで送られた直しを受けて指定された部分の修正を行い、その版下データ２２を再度インターネット等の広域通信ネットワーク１８経由でクライアント、または広告代理店１に送り、以上説明してきたことを直しが無くなるまで繰り返す。なお、企画・デザイン会社（部門）２による色校正の修正に時間がかかった場合は、印刷・製本会社（部門）４から送られてくる印刷機１４のプロファイルデータ２３を再度読み出し、色校正出力機７がこの印刷に使う印刷機の発色となるよう調節する。これは、印刷機のプロファイルは、使うインキの変更などで変化する可能性があるからで、前記したようにこのプロファイルは印刷ジョブ毎に作られるから、最新のプロファイルデータで色校正出力８が行われるようにするためである。
【００２８】
こうして版下データに対するクライアントのＯＫが出たら、今度はその版下データ２０を直接人手やバイク便、車などを使うか、インターネット等の広域通信ネットワーク１８経由で製版・刷版会社３に送る。すると製版・刷版会社３は、この版下データを製版システム１３で網掛けなどをして各色毎のフィルムに出力し、続けて刷版を作成するか、ＣＴＰで版下データから直接刷版を作成し、印刷・製本会社４へ刷版２１として送る。そのため印刷・製本会社４は、印刷機１４で印刷を行い、製本機１７で製本をおこなって印刷物２４としてクライアント、または広告代理店１に納品する。
【００２９】
このようにすることにより、従来のように版下や色校正出力を人手やバイク便、車などで運ぶ必要が無くなり、かつクライアントは、従来のように製版後ではなく、版下の完成と同時に、印刷時とほぼ同じ発色の色校正出力を見ることができ、色校正を短時間で、経費をかけることなく、また、クライアントの望むとおりの発色で印刷を実行することができる。また、刷版をＣＴＰで出力する場合、刷版を出力後に直すということはできないから、こうしてＤＤＣＰで構成した色校正出力機で校正した版下データで出力すれば、刷版の出力後に修正が入るということが無くなり、ＣＴＰを効果的に使うことができる。
【００３０】
【発明の効果】
以上記載の如く本発明によれば、従来のような平台校正機などの色校正出力機による色校正出力とは異なり、実際に使用する印刷機の発色特性データに基づく色校正出力がクライアント側色校正出力機から得られ、かつ、印刷もこの発色特性データで行われる為、クライアントは実際の印刷と同じ発色特性の色校正出力を見ることができ、クライアントの希望と異なる色で印刷が行われるというトラブルが回避できる。
【００３１】
そして本発明によれば、発色特性データと印刷用データをインターネットなどの広域通信ネットワークでクライアント側に送ることで、従来のように人手やバイク便、車などで版下や版下データを運ぶ必要が無く、時間のと経費の節約が可能となる。
【００３２】
そして本発明によれば、色校正出力機を印刷用データ作成部門である企画デザイン会社（部門）に設置することで、クライアントだけでなく印刷用データ作成部門も実際に使用する印刷機の発色特性データに基づく色校正出力を色校正出力機から得られる為、クライアントの望む色を印刷用データ作成時点において作成することができ、製版後に色校正出力を見せられる場合に比し、短時間でクライアントの希望する色の印刷物用データを作成することができる。
【図面の簡単な説明】
【図１】  本発明の実施の形態に係る方法を説明するための概略ブロック図である。
【図２】  従来の印刷における色校正方法を説明するためのブロック図である。
【符号の説明】
１    クライアント、または広告代理店
２    企画・デザイン会社（部門）
３    製版・刷版会社（部門）
４    印刷・製本会社（部門）
５    ビューワ
６    色変換ソフト
７    色校正出力機
８    色校正出力
９    編集システム
１０    色変換ソフト
１１    色校正出力機
１２    色校正出力
１３    製版システム
１４    印刷機
１５    色調管理装置
１６    プロファイルデータベース
１７    製本機
１８    インターネット等の広域通信ネットワーク
【図１】
0003782667.tif 000002
【図２】
0003782667.tif 000003